(57)【特許請求の範囲】
【請求項１】
所定の警備領域に設置されたセンサーと、所定の警備領域を所望警備モードに設定するモード設定器と、設備機器とを結合する警報装置において、
前記設備機器の制御スケジュールを記憶する記憶手段と、
前記モード設定器によって警戒モードに設定されると前記設備機器を前記スケジュールに沿って自動運行させる自動運行モードに設定し、警戒解除モードに設定されると前記設備機器を手動で制御する手動運行モードに設定する制御手段とを有し、
前記制御手段は、前記設備機器の状態が前記スケジュールに沿った状態と一致しない場合は、前記モード設定器による警戒モードへの設定を不可とすることを特徴とする警報装置。
【請求項２】
前記設備機器の状態が制御スケジュールに沿った状態と一致していないことを表示する表示手段を有する請求項１に記載の警報装置。
【発明の詳細な説明】
【０００１】
【発明の属する技術分野】
本発明は、ビルや事務所等の監視対象への破壊行為や侵入者の検出・通報、あるいは、該監視対象の付帯設備機器の監視制御などを行う警報装置に関する。特に、設備機器をスケジュールにしたがって自動制御する警報装置の改良に関する。
【０００２】
【従来の技術】
従来、侵入者や破壊行為を監視する警備機能と、付帯設備機器を監視制御する設備制御機能とを備えた警報装置が実用化されている。警備機能には、侵入者検出センサーが侵入者を検出すると異常警報を発する状態（以下、警戒モードという。）と、侵入者を検出しても警報を発しない状態（以下、警戒解除モードという。）とがある。そして、最後に監視対象を退館する人が警報装置を警戒モードに設定し、最初に監視対象へ入館する人が警報装置を警戒解除モードに切り替える。
【０００３】
つまり、監視対象の中に利用者が居るときは警戒解除モード、利用者が居ないときは警戒モードに設定される。これは、利用者と侵入者とを識別するのが困難なため、利用者を検出したときにも異常警報が出てしまう。そこで、利用者が居ないときのみ異常警報を発するようにすることで、不必要な警報が発せられるのを防いでいる。また、設備制御機能は、ビルの運用に合わせたスケジュールを予めプログラムしておき、その制御スケジュールに沿って設備機器を自動制御している。
【０００４】
【発明が解決しようとする課題】
従来の警報装置では、警備機能と設備制御機能は夫々独立して機能している。そのため、利用者が早朝入館すると警戒解除モードにはなるが、設備機器は予めプログラムされている運行スケジュールに沿って自動運行されている。例えば、設備制御機能が、当該設備機器の現状態とは反対の状態に（現在駆動中であれば、停止状態に）させるように、プログラムされている場合がある。
【０００５】
この場合、エアコンの起動開始時間より早い時刻に利用者が入館すると、警戒解除モードに設定されるが、エアコンは起動しない。そして、利用者が手動操作にてエアコンを起動させることが可能である。しかし、エアコンのスケジュール上の起動時刻になると、エアコンが停止してしまう。
【０００６】
このように、スケジュールに沿って設備機器を運行させていると、日常的に発生する種々の事情（例えば、省エネルギー対策の一環として、昼食時間帯は蛍光灯を半分消灯させる）に応じた柔軟な設備制御と、スケジュールによる自動制御を両立させるのが困難であった。そこで、本発明は、設備をスケジュールにて自動制御するとともに、必要なときには柔軟な設備制御ができる警報装置を得ることを目的としている。
【０００７】
【課題を解決するための手段】
本発明は、所定の警備領域に設置されたセンサーと、所定の警備領域を所望警備モードに設定するモード設定器と、設備機器とを結合する警報装置において、前記設備機器の制御スケジュールを記憶する記憶手段と、前記モード設定器によって警戒モードに設定されると前記設備機器を前記スケジュールに沿って自動運行させる自動運行モードに設定し、警戒解除モードに設定されると前記設備機器を手動で制御する手動運行モードに設定する制御手段とを有し、前記制御手段は、前記設備機器の状態が前記スケジュールに沿った状態と一致しない場合は、前記モード設定器による警戒モードへの設定を不可とすることを特徴とする警報装置を提供する。更に、前記設備機器の状態が制御スケジュールに沿った状態と一致していないことを表示する表示手段を有する警報装置を提供する。
【０００８】
【発明の実施の形態】
以下、本発明を警備システムに適応した例を図に基づき説明する。図１は、ビルに配置される警備システムの構成図である。符号１は、警備システム全体の監視制御を行う警報装置である。警報装置１は、侵入者等を検出する警備用のセンサー１１、モード設定器１２、監視制御回線２を介して後述する各種設備機器のコントローラなどから信号を処理し、一般公衆回線１０を介して図示しない警備センターの上位コンピュータへの通報処理や設備機器のスケジュール制御等を行っている。
【０００９】
警備用センサー１１は、警備対象であるビルの内外の適所に設置され、侵入者や破壊行為を検出する人体検出センサー、振動センサー、マグネットセンサーなど各種センサーである。そして、侵入者や破壊行為を検出すると、有線または無線にて警報装置１に対し、検出信号を送出する。モード設定器１２は、ビルの出入口近傍の内側または外側に設置され、警報装置１に接続されている。
【００１０】
そして、当該ビル内の警備領域を警戒モードまたは警戒解除モードに切り替えるための信号を警報装置１に出力する。警戒モードと警戒解除モードの切替は、防犯上の観点から、当該警備領域の正規な利用者に限定する必要がある。そこで、例えば磁気カードとカードリーダーとを組み合わせて使用するモード設定器１２が実用化されている。なお、本実施例では、便宜上カードリーダーをモード設定器１２として説明する。また、警備領域は、ビル全体または一部の領域を指定することも可能である。ここでは、ビル全体を警備領域を警戒領域としている。
【００１１】
本実施例では、利用者が携行している磁気カードのカードデータをカードリーダーが読み取り、警報装置１に送出する。そして、警報装置１にて予め登録されている照合データと比較照合し、一致したときにのみ警備領域を警戒モード又は警戒解除モードに設定するようにしている。その他、テンキーによる暗証番号のキーイン又は鍵スイッチ等の操作者のＩＤを照合できるものであってもよい。
【００１２】
電気錠コントローラ３は、電気錠４の施錠／解錠制御を行う装置であって、監視制御回線２を介して警報装置１から制御信号を受信し、該制御信号に応じた制御を行う。また、電気錠４の作動確認信号や施錠又は解錠の状態などを警報装置１に送信する。設備コントローラ５は、エアコン６などの設備の起動又は停止制御を行う装置であって、電気錠コントローラ３と同様に監視制御回線２にて警報装置１と接続されている。
【００１３】
そして、エアコン６の起動、停止若しくは温度設定などの制御信号を警報装置１から受信すると、該信号に応じた制御を実行する。また、エアコン６の稼動状況等の確認信号を監視制御回線２を介して、警報装置１に返信する。尚、本実施例では示さないが、監視制御回線２には照明設備制御コントローラやエレベータの制御コントローラ、火災検出に応じて連動する設備連動コントローラなどビルに応じた各種コントローラが接続される。
【００１４】
図２を参照して、警報装置１の構成ブロックを説明する。ＣＰＵ２０は、警報装置１での各種信号の演算処理を行う中央演算処理装置である。通信インターフェース２１は、一般公衆回線１０等を介して図示しない警備センターと接続し、警備センターなどの警備対象の外部との通信を行うインターフェースである。ループチェックインターフェース２２は、確認釦２２１の操作信号であるループチェック信号を受けるインターフェースである。
【００１５】
表示器インターフェース２３は、表示器２３１の表示制御を行うインターフェースである。スイッチインターフェース２４は、設備制御用スイッチ２４１やスケジュール入力用のテンキースイッチ２４２など各種スイッチの信号を受けるインターフェースである。ＲＯＭ２５は、警報装置１の基本動作プログラムなどの基本的に書換えを行わないプログラムやデータ等を記憶している読み出し専用の記憶手段である。
【００１６】
ＲＡＭ２６は、設備機器の制御スケジュール、接続されているセンサーの種別、設置場所など、顧客の実施する状況によって異なるデータなどを記憶している書換え可能な記憶手段である。センサーインターフェース２７は、警備対象に適宜設置された警備用センサー１１の検出信号を受けるインターフェースである。監視バスインターフェース２８は、監視制御回線２を介して電気錠コントローラ３、設備コントローラ５などの各種コントローラとの通信を行うインターフェースである。
【００１７】
モードインターフェース２９は、モード設定器１２が送出するカードデータやその照合結果の通信を行うインターフェースである。警報装置１は、上述のような構成が各々バス４０にて接続され、ＣＰＵ２０が統括して制御監視等を行っている。
【００１８】
次に、このように構成された警報装置１の動作を図３及び図４をもとに説明する。警備システムは、電気錠４の解錠時刻や施錠時刻、エアコン６の起動時刻や停止時刻などの制御スケジュールがＲＡＭ２６に格納されている。これらのデータは、図示しない警備センターのコンピュータから一般公衆回線１０を経由し通信インターフェース２１からデータダウンロードされる。あるいは、テンキースイッチ２４２を用いて、スイッチインターフェイス２４からデータをＲＡＭ２６に入力することもできる。尚、電気錠４やエアコン６の基本制御プログラムは、ＲＯＭ２５に記憶している。
【００１９】
図３は、ＲＡＭ２６に記憶されているエアコン６と電気錠４とのスケジュールを示している。（１）は、エアコン６のスケジュールが、０８：５０に起動１８：００に停止するように設定されていることを示している。（２）は、電気錠４のスケジュールが０９：００に解錠され、１８：００に施錠されることを示している。
【００２０】
今、ビルは無人状態であり、警報装置１が警戒モードに設定されているとする。そして、エアコン６や電気錠４の各設備は、スケジュールに沿って自動運行されている。（ステップ１）当該ビルの従業員が、５：３０に出社してきた場合の警備システムの動作を述べる。前記従業員は、正規の磁気カードを使用してモード設定器１２の操作を行う。モード設定器１２は、前記磁気カードからカードデータを読み取り、モードインターフェース２９にカードデータを送出する。
【００２１】
そして、警報装置１は、入力されたカードデータと予めＲＡＭ２６に記憶されている照合用データと一致するか否かの照合をする。照合が一致し、正規の操作者であると確認できると、ＲＡＭ２６内のモード情報を警戒モードから警戒解除モードに切り替える。警戒解除モードでは、警備用センサー１１が作動しても異常とは判断しない。また、５：３０の時点では、図３（１）に示すようにエアコン６は停止状態であり、正面玄関の電気錠４も施錠状態である。（ステップ２）
【００２２】
次に、前記従業員は、モード設定器１２の表示が警戒モード表示から警戒解除モードに切り替わったのを確認後、正面玄関の電気錠４を鍵を用いて、手動で解錠し入館する。なお、正規の操作者によって警戒モードから警戒解除モードに切り替えられたとき、警戒解除モードの設定と連動して自動的に解錠されてもよい。また、これ以降警戒モードに設定されるまでの間、手動で施錠／解錠を行う。
【００２３】
そして、設備コントローラ５を手動操作し、エアコン６を起動させる。これにより、従業員が早朝に出社しても、エアコン６を手動で制御できるので、柔軟な対応ができるのである。（ステップ３）更に、警戒解除モードでは、電気錠コントローラ３及び設備コントローラ５に対して、警報装置１から制御信号が送出されない。つまり、スケジュール上で起動時刻に設定されている８：５０や９：００になっても、起動制御信号が送出されないので、エアコン６が従業員の意志と別に勝手に停止したり、電気錠４が施錠されることがなくなるのである。
【００２４】
次に１９：００に最後の従業員が退館する場合を説明する。先ず、ビルの最終退館者である従業員は、確認釦２２１を押下げる。（ステップ４）そして、確認釦２２１の押下により、確認信号がループチェックインターフェイス２２を介して入力される。確認信号の入力があると、警備用センサー１１の状態、設備機器の状態が正常であるかをチェックする。（ステップ５）
【００２５】
警備用センサー１１のチェックでは、例えば窓の開閉を検出するマグネットセンサーの場合、窓が開いていればマグネットセンサーがそれを検出し、表示器インターフェイス２３を介して表示器２３１に窓が開いている旨を表示する。（ステップ５、９）この場合、窓を閉じ、再度確認釦２２１を再度押下すると、他の警備用センサー１１が検出していなければステップ６に進む。他の警備用センサー１１が検出していれば、全ての警備用センサー１１の検出出力がなくなるまで、ステップ６に進めない。
【００２６】
また、ステップ６では、設備の現状態とスケジュール上の状態とが一致しているか否かをチェックする。これは、警戒解除モードにおける設備の手動による制御から警戒モードのスケジュールによる自動制御に切り替えるために、切替をする時刻での設備の状態をスケジュール上と合致させるものである。設備機器がスケジュール（本来自動運行であればエアコン６が停止状態であり、電気錠４が施錠状態）通りの状態となっているか否かをチェックする。
【００２７】
ここで、設備機器がスケジュールに沿った状態でなければ、表示器インターフェース２３を介して、警備用センサー１１の場合と同様に表示器２３１にその旨を表示する。（ステップ６、９）表示にしたがって、エアコン６を停止させ電気錠４を施錠し、再度確認釦２２１を押下すると、表示が消える。
【００２８】
このようにして、全ての警備用センサー１１、設備機器の状態が正常となるのを確認する。全てが正常であれば、表示器２３１に警戒モード切り替え準備ＯＫの旨が表示される。（ステップ７）尚、全てが正常状態になるまでは、警戒モードに切り替えることができないので、確実に設備の状態をスケジュールと一致できるのである。
【００２９】
警戒モードへの切り替え準備ＯＫが表示されると、従業員は所持している磁気カードを使用してモード設定器１２の操作を行なう。モード設定器１２は、前記磁気カードからカードデータを読み取り、モードインターフェース２９にカードデータを送出する。そして、警報装置１は、入力されたカードデータと予めＲＡＭ２６に記憶されている照合用データと一致するか否かの照合を実行する。照合が一致し、正規の操作者であると確認できると、ＲＡＭ２６内のモード情報を警戒解除モードから警戒モードに切り替える。（ステップ８）
【００３０】
この場合、１８：００の時点では、警戒解除モードが継続しているので、エアコン６及び電気錠４への制御信号は、設備コントローラ５や電気錠コントローラ３に送出されない。つまり、電気錠４やエアコン６が従業員の意志と関係なく、停止したり、施錠されることがなくなるのである。
【００３１】
なお、実施例においては、警備モードへの設定に際し確認釦２２１の押下げにより、警備用センサー１１の状態と設備機器の当該時点における状態がスケジュールに沿った状態との両方をチェックしているが、確認釦２２１の押下げで警備用センサー１１の状態をチェックし、モード設定器１２の操作で設備機器の状態をチェックするようにしてもよい。また、モード設定器１２の操作で警備用センサー１１のループ状態及び、設備機器の状態の両方を判断するようにしてもよい。
また、言うまでもないが、電気錠４をシャッター、オートドア、エレベータなどの設備にも適用できる。
【００３２】
本実施例においては、本発明をビルの警備システムに適用したが、金融機関の無人化自動店舗やＣＤ／ＡＴＭコーナーへの適用も可能である。本発明を金融機関の無人化店舗の警備システムに適用した場合、警備システムの構成等は、前述のビルの警備システムに適用した例とほぼ同様である。基本的に相違するのは、金融機関の無人化店舗に適用するときは、店舗が開店中であっても、警戒モードに設定しておく点のみである。
【００３３】
つまり、通常時、金融機関の無人化店舗は警戒モードにて自動運行され、開店中は、客室に設置されている人体検出する警備用センサー１１が人を検出しても異常としないように設定している。なお、開店中にその他の警備用センサー１１の異常検出すると、異常と判断し通報動作を行う。そして、警戒解除モードに切り替えるのは、店舗点検や現金の補填のときである。このときは、客室以外に設置している警備用センサー１１が検出しても、異常通報動作は行わない。この点を除けば、前述したビルの警備システムと同様であるので、重複した説明は避ける。
【００３４】
【発明の効果】
監視対象内に人が居るか否かを判断でき、有人時には、各設備機器を手動で制御でき、無人時には予め定めたスケジュールで各設備機器を自動で運転できるので、設備機器を使用状況にあった柔軟な制御が容易にできる。また、設備の制御を手動制御からスケジュールでの自動制御に切り替える際に、スケジュール上の設備の状態と現実の設備の状態が合致しないと切り替えれないので、スケジュール上の設備の状態と現実の設備の状態が食い違うことがなくなる。
【図面の簡単な説明】
【図１】警備システムの構成図
【図２】警報装置の構成ブロック図
【図３】タイムチャート
【図４】警報装置の動作フローチャート
【符号の説明】
１…警報装置
２…監視制御回線
３…電気錠コントローラ
４…電気錠
５…設備コントローラ
６…エアコン
１１…警備用センサー
１２…モード設定器
【図１】
0003542210.tif 000002
【図２】
0003542210.tif 000003
【図３】
0003542210.tif 000004
【図４】
0003542210.tif 000005